(57)【要約】【課題】印刷ヘッドの温度測定無しに温度制御する。【解決手段】印刷時の印刷ドットの計測値の変化に対応して濃度変換テーブルを使用する。【選択図】        図１
2004314442.tif 000002
【特許請求の範囲】
【請求項１】
印刷時の単位時間あたりの印刷動作を計測する計測装置と、
データ濃度を印刷濃度に置換する変換テーブルと、
前記計測装置による計測値に応じて
前記変換テーブルを変更する変更手段とを有することを特徴とする印刷装置。
【請求項２】
印刷時の単位時間あたりの印刷動作を計測する計測装置と、
データ濃度を印刷濃度に置換する変換テーブルと、
前記計測装置による計測値の変化率に応じて
前記変換テーブルを変更する変更手段とを有することを特徴とする印刷装置。
【請求項３】
印刷時の印刷単位あたりの印刷情報を計測する計測装置と、
データ濃度を印刷濃度に置換する変換テーブルと、
前記計測装置による計測値に応じて
前記変換テーブルを変更する変更手段とを有することを特徴とする印刷装置。
【請求項４】
印刷時の印刷単位あたりの印刷情報を計測する計測装置と、
データ濃度を印刷濃度に置換する変換テーブルと、
前記計測装置による計測値の変化率に応じて
前記変換テーブルを変更する変更手段とを有することを特徴とする印刷装置。
【発明の詳細な説明】
【０００１】
【発明の属する技術分野】
本発明は記録媒体に対して画像や文字等を記録する記録装置、特に印字情報を熱エネルギーに変換する方式により印字を行う記録装置に関わるものである。
【０００２】
【従来の技術】
印字に際して投入されるエネルギーが本来印字動作にのみ消費されることが理想的ではあるが、実際には印字行う部位、印字ヘッドあるいはインク等の記録剤にも投入され、それらの温度変動をきたし、そのために適切は印字動作が保たれなかった。そのため従来は、駆動エネルギーの駆動時間に温度依存性を持たせた制御制御することや、あるいはより直接的にその温度変動を平衡に保つために印字を停止する等の制御がとられていた。
【０００３】
【発明が解決しようとする課題】
しかしながら、上記従来技術においては、それぞれ問題が指摘されていた。駆動エネルギー駆動時間の温度依存性制御制御においては、そもそも積極的に温度制御を行うものではなく対処療法的に制御するため、駆動時間等定まった範囲内での有効で有ると言うような制御そのものに限界があり、印字を停止制御にいても、印字停止そのものが印刷に関わる効率を阻害し、更に停止前後印字での記録画像に差分を生じる等の問題が指摘されていた。
【０００４】
【課題を解決するための手段】
本発明は上記従来例の問題を鑑みて行われたものであり、印刷時の単位時間あたりの印刷動作を計測する計測装置と、計測装置による計測値の変化あるいは変化率に応じて印刷濃度を決定する変換テーブルを変更する変更手段により変換テーブルを変更するものである。
【０００５】
【発明の実施の形態】
以下に、本発明の実施の形態について図面を参照して説明する。
【０００６】
本発明の記録装置は、記録方式として、インクジェット方式あるいは感熱方式など、印字情報を熱エネルギーに変換する方式により印字を行う記録装置であるいかなるものを適用しても良い。
【０００７】
（実施例１）
図１は本発明の第一の実施例をあらわすもので、個々の図を用いて説明する。
【０００８】
（１−１）は印刷されるべき出力画像データであり、本実施例においては１画素が２値を超える印刷情報を有している。
【０００９】
（１−２）は濃度変換テーブルであり、印刷情報の値を変換する複数の情報群により構成される。
【００１０】
（１−３）は（１−２）濃度変換テーブルよる変換後の印刷情報値を記録媒体に記憶される情報に変換する２値化テーブルである。
【００１１】
（１−４）はドットカウンターであり、（１−３）２値化テーブルにより変換された記録媒体に記憶される情報と記録されない情報、つまり（１−５）印刷ヘッドでの印刷動作数と非印刷動作数をカウントするドットカウンターである。ここでは、●を印刷動作があるもの、○は印刷動作が無いものとして表現している。
【００１２】
（１−５）は（１−３）２値化テーブルにより変換された記録媒体に記憶される情報、を記録媒体に記録する印刷ヘッドである。ここでは印刷情報を熱エネルギーに変換することで記録剤を記録媒体に吐出する記録方式を用いている。
【００１３】
また、印刷装置としての各要素、例えばデータあるいはステータスを送受信する部分、記録媒体を移動させる部分、あるいは全体制御を司る部分等は明示されていないが存在する。
【００１４】
以上の構成において、本実施例の動作を説明する。
【００１５】
まず初めに電源投入時に印刷装置及び内部の各部が初期化される。（１−２）濃度変換テーブルは出力値が入力値と等価なもの（Ａ）が初期値として選択される。その後、装置は送受信部を経由して出力画像データが取り込まれるのを待つ。
【００１６】
送受信部を経由して（１−１）出力画像データが取り込まれ始めると、１印刷単位が蓄えられるのを待つ。１印刷単位が蓄えられると、印刷が開始されるが、ここでは記録媒体の移動に関する記述は省略する。
【００１７】
印刷が開始されると、（１−４）ドットカウンターが（１−３）２値化テーブルにより変換された記録媒体に記憶される情報、つまり（１−５）印刷ヘッドでの印刷動作数と、記録されない情報、つまり（１−５）印刷ヘッドでの非印刷動作数をカウントする。
【００１８】
そのカウント値は定まった周期により確定され、（１−４）ドットカウンターに記憶される印刷動作数と非印刷動作数が比較される。その際印刷動作数が非印刷動作数と等しいか超える場合には、（１−２）濃度変換テーブルは出力値が入力値に比して低濃度が得られるもの（Ｂ）が選択される。また、印刷動作数が非印刷動作数を超えない場合には、（１−２）濃度変換テーブルは出力値が入力値と等価なもの（Ａ）が選択される。この（１−４）ドットカウンターの値は一旦確定されると初期化される。
【００１９】
印刷は（１−１）出力画像データが１印刷単位蓄えられると、（１−１）出力画像データは（１−２）濃度変換テーブルに従って、濃度変換され、（１−３）２値化テーブルに従って、（１−５）印刷ヘッドにおいて熱エネルギーに変換されるべき印刷情報に変換され、（１−５）印刷ヘッドにおいて記録媒体に記録剤が記録される。
【００２０】
（実施例２）
図２は本発明の第二の実施例をあらわすもので、個々の図を用いて説明する。
【００２１】
（２−１）は印刷されるべき出力画像データであり、本実施例においては１画素が２値を超える印刷情報を有している。
【００２２】
（２−２）は濃度変換テーブルであり、印刷情報の値を変換する複数の情報群により構成される。
【００２３】
（２−３）は（２−２）濃度変換テーブルよる変換後の印刷情報値を記録媒体に記憶される情報に変換する２値化テーブルである。
【００２４】
（２−４）はドットカウンターであり、（２−３）２値化テーブルにより変換された記録媒体に記憶される情報と記録されない情報、つまり（２−５）印刷ヘッドでの印刷動作数と非印刷動作数をカウントするドットカウンターである。ここでは、●を印刷動作があるもの、○は印刷動作が無いものとして表現している。また、この実施例では計測単位で確定した前回の計測値が比較用に記録される。
【００２５】
（２−５）は（２−３）２値化テーブルにより変換された記録媒体に記憶される情報、を記録媒体に記録する印刷ヘッドである。ここでは印刷情報を熱エネルギーに変換することで記録剤を記録媒体に吐出する記録方式を用いている。
【００２６】
また、印刷装置としての各要素、例えばデータあるいはステータスを送受信する部分、記録媒体を移動させる部分、あるいは全体制御を司る部分等は明示されていないが存在する。
【００２７】
以上の構成において、本実施例の動作を説明する。
【００２８】
まず初めに電源投入時に印刷装置及び内部の各部が初期化される。（２−２）濃度変換テーブルは出力値が入力値と等価なもの（Ｂ）が初期値として選択される。その後、装置は送受信部を経由して出力画像データが取り込まれるのを待つ。（１−４）ドットカウンターの初期状態としては記録媒体に記憶される情報、つまり（１−５）印刷ヘッドでの印刷動作数と、記録されない情報、つまり（１−５）印刷ヘッドでの非印刷動作数は等価として記録される。
【００２９】
送受信部を経由して（２−１）出力画像データが取り込まれ始めると、１印刷単位が蓄えられるのを待つ。１印刷単位が蓄えられると、印刷が開始されるが、ここでは記録媒体の移動に関する記述は省略する。
【００３０】
印刷が開始されると、（１−４）ドットカウンターが（１−３）２値化テーブルにより変換された記録媒体に記憶される情報、つまり（１−５）印刷ヘッドでの印刷動作数と、記録されない情報、つまり（１−５）印刷ヘッドでの非印刷動作数をカウントする。
【００３１】
そのカウント値は定まった周期により確定され、（１−４）ドットカウンターに記憶される印刷動作数と非印刷動作数の比Ｋｎの値により（１−２）濃度変換テーブルが選択される。
Ｋｎ／Ｋｎ−１＞Ｄ１
の場合には（１−２）濃度変換テーブルは出力値が入力値に比して低濃度が得られるもの（Ｃ）が選択される。
Ｄ１＞Ｋｎ／Ｋｎ−１＞Ｄ２
の場合には（１−２）濃度変換テーブルは出力値が入力値と等価なもの（Ｂ）が選択される。
Ｄ２＞Ｋｎ／Ｋｎ−１
の場合には（１−２）濃度変換テーブルは出力値が入力値に比して高濃度が得られるもの（Ｂ）が選択される。
【００３２】
ここで、Ｄ１及びＤ２は予め定められた値である。またＫｎ−１は前回の記録値である。
【００３３】
この（１−４）ドットカウンターの値は一旦確定され使用されると次回の比較処理で使用される様記憶されるさ。
【００３４】
印刷は（２−１）出力画像データが１印刷単位蓄えられると、（２−１）出力画像データは（２−２）濃度変換テーブルに従って、濃度変換され、（２−３）２値化テーブルに従って、（２−５）印刷ヘッドにおいて熱エネルギーに変換されるべき印刷情報に変換され、（２−５）印刷ヘッドにおいて記録媒体に記録剤が記録される。
【００３５】
実施例１及び２ともにドットカウント（１−４）、（２−４）の計測単位を一印刷単位、例えば印刷ヘッドの停止状態から移動時の印刷そして再停止に至る範囲として構成することが出来る。
【００３６】
【発明の効果】
以上説明したように本発明においては、駆動エネルギー駆動時間の温度依存性制御制御を排除し、印刷データそのもののから生じる投入エネルギーを印刷時の印刷ドット数計数値を印刷濃度変換にフィードバックすることで、駆動エネルギー駆動時間の温度依存性制御での制御不可能時の印字停止による印刷に関わる効率が阻害されることを防止しするとともに、印字停止前後の印字での記録画像の不安定さを防止するものである。
【図面の簡単な説明】
【図１】本発明の第一の実施例をあらわすものである。
【図２】本発明の第二の実施例をあらわすものである。
【符号の説明】
（１−１）  印刷されるべき出力画像データ
（１−２）  濃度変換テーブル
（１−３）  ２値化テーブル
（１−４）  ドットカウンター
（１−５）  印刷ヘッド
（２−１）  印刷されるべき出力画像データ
（２−２）  濃度変換テーブル
（２−３）  ２値化テーブル
（２−４）  ドットカウンター
（２−５）  印刷ヘッド
【図１】
2004314442.tif 000003
【図２】
2004314442.tif 000004